(57)【要約】【課題】作製工程が容易化、低コスト化を図ることができる操作ボタンを提供する。【解決手段】表面に光透過部２２Ａ、２３Ａと光不透過部２２Ｂ、２３Ｂを形成した光透過性樹脂部２０を有し、機能表示部２２とインジケータ部２３を有する押下部１２と、第１光源１５と、第２光源１６とを備え、第１光源１５の消灯時には光透過部２２Ａを通過し光透過性樹脂部２０での反射光によりボタン機能を表示し、第１光源１５の点灯時には、光透過性樹脂部２０を透過した透過光によりボタン機能を表示し、第２光源１６の点灯時には、光透過性樹脂部２０から透過した透過光によりオン状態を表示する操作ボタン１であって、機能表示部２２に対応する光透過性樹脂部２０の裏面には、外光を反射する角度の外光反射面３０と第１光源１５からの光を透過する角度の内光透過面３１が交互に多数形成された。【選択図】図２
2015125850.tif 000002
【特許請求の範囲】
【請求項１】
表面に光透過部（２２Ａ）、（２３Ａ）と光不透過部（２２Ｂ）、（２３Ｂ）を形成した光透過性樹脂部（２０）を有し、ボタン機能を表示する機能表示部（２２）とボタンのオンオフ状態を表示するインジケータ部（２３）を有する操作部（１２）と、
前記機能表示部（２２）に裏面側より光を照射する第１光源（１５）と、
前記インジケータ部（２３）に裏面側より光を照射する第２光源（１６）とを備え、
前記第１光源（１５）の消灯時には前記光透過部（２２Ａ）を通過し前記光透過性樹脂部（２０）での反射光によりボタン機能を表示し、前記第１光源（１５）の点灯時には、前記光透過性樹脂部（２０）を透過した透過光によりボタン機能を表示し、
前記第２光源（１６）の点灯時には、前記光透過性樹脂部（２０）から透過した透過光によりボタンのオン状態を表示する操作ボタン（１）であって、
前記機能表示部（２２）に対応する前記光透過性樹脂部（２０）の裏面には、外光を反射する角度の外光反射面（３０）と前記第１光源（１５）からの光を透過する角度の内光透過面（３１）が交互に多数形成されたことを特徴とする操作ボタン（１）。
【請求項２】
請求項１記載の操作ボタン（１）であって、
前記外光反射面（３０）と前記内光透過面（３１）は、前記光透過性樹脂部（２０）の垂直方向（Ｖ）の光を基準に面角度がそれぞれ設定されていることを特徴とする操作ボタン（１）。
【請求項３】
請求項２記載の操作ボタン（１）であって、
前記内光透過面（３１）は、前記光透過性樹脂部（２０）の垂直方向（Ｖ）の光に対して垂直な面であることを特徴とする操作ボタン（１）。
【請求項４】
請求項１〜請求項３のいずれかに記載の操作ボタン（１）であって、
前記光透過部（２２Ａ）の縦横サイズの領域が光透過領域（Ｅ１）とし、光透過領域（Ｅ１）の外側が光不透過領域Ｅ２とすると、
機能表示部（２２）に対応する前記光透過性樹脂部（２０）の裏面は、前記光透過領域（Ｅ１）に対応する内領域（Ｅ１０）と前記光不透過領域（Ｅ２）に対応する外領域（Ｅ２０）に区分され、内領域（Ｅ１０）の前記外光反射面（３０）は、外光が前記光透過領域（Ｅ１）に向かって反射する向きに設定されていることを特徴とする操作ボタン（１）。
【請求項５】
請求項１〜請求項４のいずれかに記載の操作ボタン（１）であって、
前記光透過部（２２Ａ）の縦横サイズの領域が光透過領域（Ｅ１）とし、光透過領域（Ｅ１）の外側が光不透過領域Ｅ２とすると、
機能表示部（２２）に対応する光透過性樹脂部（２０）の裏面は、前記光透過領域（Ｅ１）に対応する内領域（Ｅ１０）と前記光不透過領域（Ｅ２）に対応する外領域（Ｅ２０）に区分され、外領域（Ｅ２０）の前記外光反射面（３０）は、外光が前記光透過領域（Ｅ１）に向かって反射する向きに設定されていることを特徴とする操作ボタン（１）。
【請求項６】
請求項１〜請求項５のいずれかに記載の操作ボタン（１）であって、
前記外光反射面（３０）と前記内光透過面（３１）の各サイズは、前記光透過部（２２Ａ）の最も狭い幅サイズの二分の一よりも小さいことを特徴とする操作ボタン（１）。
【発明の詳細な説明】
【技術分野】
【０００１】
本発明は、機能表示部とインジケータ部を有する操作ボタンに関する。
【背景技術】
【０００２】
この種の従来の操作ボタンとして、特許文献１に開示されたものがある。この操作ボタン５０は、図９及び図１０に示すように、固定部５１とこの固定部５１に対して押下方向に移動可能に設けられた操作ノブ６０とを有する。操作ノブ６０は、上面が開口された枠体６１ａと枠体６１ａ内を２つに仕切る仕切壁６１ｂと、枠体６１ａの上面開口を塞ぐ操作部である押下部６２とを有する。操作ノブ６０内は、仕切壁６１ｂによって機能表示用収容室６３とインジケータ用収容室６４に仕切られている。機能表示用収容室６３には、第１光源６５が配置されている。インジケータ用収容室６４には、第２光源６６が配置されている。
【０００３】
押下部６２は、光透過性樹脂部７０とこの表面に塗布された文字色塗装部７１とこの表面に塗布された遮光表面塗装部７２とを有する。押下部６２は、ボタン機能を表示する機能表示部７３とボタンのオンオフ状態を表示するインジケータ部７４とに分けられている。機能表示部７３は、機能表示用収容室６３に対応する位置であり、レーザによるトリミング手段によって遮光表面塗装部７２の一部が文字形状等に除去されて光透過部７３Ａが形成されてている。光透過部７３Ａ以外の領域は、光不透過部７３Ｂに形成されている。インジケータ部７４は、インジケータ用収容室６４に対応する位置であり、レーザによるトリミング手段によって遮光表面塗装部７２と文字色塗装部７１の一部が共に除去されて光透過部７４Ａが形成されている。光透過部７４Ａ以外の領域は、光不透過部７４Ｂに形成されている。
【０００４】
上記構成において、昼間等の外光量が多いときには、外光が文字色塗装部７１の表面で反射してボタン機能（レーザによるトリミング手段によって露出した文字色塗装部７１）を視認できる。夜間等の外光量が少ないときには、第１光源６５を点灯し、第１光源６５からの内光が光透過性樹脂部７０を透過してボタン機能を視認できる。ボタンのオフ状態のときには、外光が光透過性樹脂部７０を透過し、光透過部７４Ａが暗く見えるため、インジケータ部７４のオフ状態を視認できる。ボタンのオン状態のときには第２光源６６が点灯し、光透過性樹脂部７０から透過光が外部に射出し、ボタンのオン状態を視認できる。
【先行技術文献】
【特許文献】
【０００５】
【特許文献１】特開２００１−１９５９４４号公報
【発明の概要】
【発明が解決しようとする課題】
【０００６】
しかしながら、前記従来例では、光透過性樹脂部７０の上に文字色塗装部７１と遮光表面塗装部７２を設け、且つ、機能表示部７３の領域では遮光表面塗装部７２の一部のみを除去し、インジケータ部７４の領域では遮光表面塗装部７２と文字色塗装部７１をレーザによるトリミング手段で除去する必要があるため、作製工程が複雑で、高コストである。
【０００７】
また、機能表示部７３に白系などの光透過性樹脂部を使用し、インジケータ部７４に透明な光透過性樹脂部を使用すれば、文字色塗装部７１を省略することができる。しかし、この場合には光透過性樹脂部を２色成形したり、２種類の樹脂部を別に作製して合体したりする必要があり、前記従来例と同様に、作製工程が複雑で、高コストである。
【０００８】
そこで、本発明は、前記した課題を解決すべくなされたものであり、作製工程が容易化、低コスト化を図ることができる操作ボタンを提供することを目的とする。
【課題を解決するための手段】
【０００９】
本発明は、表面に光透過部と光不透過部を形成した光透過性樹脂部を有し、ボタン機能を表示する機能表示部とボタンの操作状態を表示するインジケータ部を有する操作部と、前記機能表示部に裏面側より光を照射する第１光源と、前記インジケータ部に裏面側より光を照射する第２光源とを備え、前記第１光源の消灯時には前記光透過部を通過し前記光透過性樹脂部での反射光によりボタン機能を表示し、前記第１光源の点灯時には、前記光透過性樹脂部を透過した透過光によりボタン機能を表示し、前記第２光源の点灯時には、前記光透過性樹脂部から透過した透過光によりボタンのオン状態を表示する操作ボタンであって、前記機能表示部に対応する前記光透過性樹脂部の裏面には、外光を反射する角度の外光反射面と前記第１光源からの光を透過する角度の内光透過面が交互に多数形成されたことを特徴とする操作ボタンである。
【００１０】
前記外光反射面と前記内光透過面は、前記光透過性樹脂部の垂直方向の光を基準に面角度がそれぞれ設定されているものを含む。前記内光透過面は、前記光透過性樹脂部の垂直方向の光に対して垂直な面であるものを含む。前記光透過部の縦横サイズの領域が光透過領域とし、光透過領域の外側が光不透過領域とすると、機能表示部に対応する前記光透過性樹脂部の裏面は、前記光透過領域に対応する内領域と前記光不透過領域に対応する外領域に区分され、内領域の前記外光反射面は、外光が前記光透過領域に向かって反射する向きに設定されているものを含む。又、外領域の前記外光反射面は、外光が前記光透過領域に向かって反射する向きに設定されているものを含む。前記外光反射面と前記内光透過面の各サイズは、前記光透過領域の最も狭い幅サイズの二分の一よりも小さいものを含む。
【発明の効果】
【００１１】
本発明によれば、昼間等の外光量が多いときには、外光が機能表示部の光透過性樹脂部の裏面の外光反射面で反射してボタン機能を視認でき、夜間等の外光量が少ないときには、第１光源を点灯し、第１光源からの光（内光）が機能表示部の透過樹脂部の裏面の内光透過面を透過してボタン機能を視認できるため、機能表示部に対応する光透過性樹脂部の表面に文字色塗装部を塗布したり、機能表示部に対応する光透過性樹脂部として白系等の有色樹脂材を用いる必要がない。従って、光透過性樹脂部の全体を透明樹脂材で形成可能であるため、作製工程が容易化、低コスト化になる。
【図面の簡単な説明】
【００１２】
【図１】本発明の一実施形態を示し、操作ボタンの前面側から見た斜視図である。
【図２】本発明の一実施形態を示し、操作ボタンの裏面側から見た斜視図である。
【図３】本発明の一実施形態を示し、（ａ）は図１のＡ−Ａ線断面図、（ｂ）は外光の反射経路、第１光源からの内光の透過経路を説明する図である。
【図４】本発明の一実施形態を示し、操作ボタンの裏面図である。
【図５】本発明の一実施形態を示し、操作ボタンの光透過領域と光不透過領域を示す正面図である。
【図６】本発明の一実施形態を示し、（ａ）は光透過性樹脂部の裏面側から見た一部切欠斜視図、（ｂ）は光透過性樹脂部の裏面形状を示す要部斜視図である。
【図７】本発明の一実施形態を示し、（ａ）は光透過性樹脂部の平面図、（ｂ）は光透過性樹脂部の側面図、（ｃ）は（ａ）のＢ−Ｂ線に沿う一部拡大断面図である。
【図８】本発明の一実施形態を示し、（ａ）は図６（ｂ）のＰ１部の拡大図、（ｂ）は図６（ｂ）のＰ２部の拡大図である。
【図９】従来例の操作ボタンの断面図である。
【図１０】従来例の操作ボタンの要部拡大断面図である。
【発明を実施するための形態】
【００１３】
以下、本発明の一実施形態を図面に基づいて説明する。
【００１４】
図１〜図８は本発明の一実施形態を示す。図１〜図３（ａ）に示すように、操作ボタン１は、車両のエアコンのオンオフを表示するものである。操作ボタン１は、固定部２とこの固定部２に対して押下方向に移動可能に設けられた操作ノブ１０とを有する。操作ノブ１０は、上面が開口された枠体１１ａと、枠体１１ａ内を仕切る仕切壁１１ｂと、枠体１１ａの上面開口を塞ぐ操作部である押下部１２とを有する。操作ノブ１０内は、仕切壁１１ｂによって機能表示用収容室１３とインジケータ用収容室１４に仕切られている。機能表示用収容室１３の底面には、第１光源１５が配置されている。インジケータ用収容室１４の底面には、第２光源１６が配置されている。第１光源１５及び第２光源１６は、共に指向性の強いＬＥＤ光源を使用している。これにより、各収容室１３，１４に導光レンズを設けなくても十分な明るさを確保できる。
【００１５】
押下部１２は、光透過性樹脂部２０とこの表面に塗布された遮光表面塗装部（例えば黒色）２１とを有する。押下部１２は、ボタン機能を表示する機能表示部２２と、ボタンの操作状態であるオンオフ状態を表示するインジケータ部２３とに分けられている。光透過性樹脂部２０は、一体の同じ透明な樹脂材より形成されている。
【００１６】
機能表示部２２は、機能表示用収容室１３に対応する位置であり、レーザによるトリミング手段によって遮光表面塗装部２１の一部が文字形状等（詳細には、絵文字のＡ／Ｃ）に除去されて光透過部２２Ａが形成されている。光透過部２２Ａ以外の領域は、光不透過部２２Ｂに形成されている。光透過部２２Ａの縦横サイズの領域が光透過領域Ｅ１（図５に示す）であり、光透過領域Ｅ１の外側が光不透過領域Ｅ２（図５に示す）である。
【００１７】
インジケータ部２３は、インジケータ用収容室１４に対応する位置であり、レーザによるトリミング手段によって遮光表面塗装部２１の一部が丸く除去されて光透過部２３Ａが形成されている。光透過部２３Ａ以外の領域は、光不透過部２３Ｂに形成されている。
【００１８】
インジケータ部２３に対応する光透過性樹脂部２０の裏面は、図３（ａ）、図４に示すように、光透過性樹脂部２０の垂直方向Ｖに沿うフラットな面である。機能表示部２２に対応する光透過性樹脂部２０の裏面には、図３（ｂ）、図４に示すように、外光を反射する角度の外光反射面３０と第１光源１５からの光を透過する角度の内光透過面３１とが格子状に交互に多数形成されている。外光反射面３０と内光透過面３１の各サイズは、光透過部２２Ａの最も狭い幅サイズの二分の一よりも小さい。外光反射面３０と内光透過面３１は、光透過性樹脂部２０の垂直方向Ｖの光を基準に面角度がそれぞれ設定されている。具体的には、外光反射面３０は、光透過性樹脂部２０の垂直方向Ｖの面（垂直面）として、内光透過面３１は、光透過性樹脂部２０の垂直方向Ｖに対して傾斜する傾斜面として形成されている。
【００１９】
また、機能表示部２２に対応する光透過性樹脂部２０の裏面は、光透過領域Ｅ１に対応する内領域Ｅ１０（図５、図６（ｂ）に示す）と光不透過領域Ｅ２に対応する外領域Ｅ２０（図５、図６（ｂ）に示す）に区分され、内領域Ｅ１０の外光反射面３０は、図６（ａ）、（ｂ）、図７（ａ）に示すように、外光が光透過部２２Ａの中央に向かって反射するように、左右の中心を境として左右の面が斜めに傾斜している。外領域Ｅ２０の外光反射面３０は、図６（ａ）、（ｂ）、図７（ｂ）、（ｃ）に示すように、外光が光透過部２２Ａに向かって反射するように、左右の中心を境として左右の面が斜めに傾斜している。このように光透過性樹脂部２０の裏面は、光透過性樹脂部２０の垂直方向Ｖの光に対して直交しない斜め傾斜面とされているが、外光反射面３０と内光透過面３１は、光透過性樹脂部２０の垂直方向Ｖの光を基準に面角度がそれぞれ設定されている。
【００２０】
上記構成において、昼間等の外光量が多いときには、外光が光透過部２２Ａを通過し、光透過性樹脂部２０の裏面の外光反射面３０で反射し、光透過部２２Ａに戻り、ボタン機能を視認できる。夜間等の外光量が少ないときには、第１光源１５を点灯し、第１光源１５からの光（内光）が光透過性樹脂部２０の裏面の内光透過面３１を透過し、光透過部２２Ａを通過してボタン機能を視認できる。従って、機能表示部２２に対応する光透過性樹脂部２０の表面に従来例のように文字色塗装部を塗布したり、機能表示部２２に対応する光透過性樹脂部２０として白系等の有色樹脂材を用いる必要がない。
【００２１】
ボタンのオフ状態のときには、外光がインジケータ部２３の光透過部２３Ａを通過し、光透過性樹脂部２０を透過し、光透過部２３Ａが暗く見えるため、インジケータ部２３のオフ状態を視認できる。ボタンのオン状態のときには第２光源１６が点灯し、インジケータ部２３の光透過性樹脂部２０から透過光が光透過部２３Ａより外部に射出し、ボタンのオン状態を視認できる。
【００２２】
以上説明したように、表面に光透過部２２Ａ、２３Ａと光不透過部２２Ｂ、２３Ｂを形成した光透過性樹脂部２０を有し、ボタン機能を表示する機能表示部２２とボタンのオンオフ状態を表示するインジケータ部２３を有する押下部（操作部）１２と、機能表示部２２に裏面側より光を照射する第１光源１５と、インジケータ部２３に裏面側より光を照射する第２光源１６とを備え、第１光源１５の消灯時には機能表示部２２の光透過部２２Ａを通過し光透過性樹脂部２０での反射光によりボタン機能を表示し、第１光源１５の点灯時には、機能表示部２２の光透過性樹脂部２０を透過した透過光によりボタン機能を表示し、第２光源１６の点灯時には、インジケータ部２３の光透過性樹脂部２０から透過した透過光によりボタンのオン状態を表示する操作ボタン１であって、機能表示部２２に対応する光透過性樹脂部２０の裏面には、外光を反射する角度の外光反射面３０と第１光源１５からの光を透過する角度の内光透過面３１が交互に多数形成されている。従って、この実施形態にように、光透過性樹脂部２０の全体を透明樹脂材で形成可能であるため、作製工程が容易化、低コスト化になる。
【００２３】
外光反射面３０と内光透過面３１は、光透過性樹脂部２０の垂直方向Ｖの光を基準に面角度がそれぞれ設定されている。従って、この実施形態のように、第１光源１５として指向性の強いものを使用した場合に、第１光源１５からの多くの光は、光透過性樹脂部２０の垂直方向Ｖ及びこれに近い方向であり、外光も光透過性樹脂部２０の垂直方向Ｖ及びこれに近い方向のものが多く含まれるため、昼間や第１光源１５の点灯時の視認性が良い。
【００２４】
内光透過面３１は、光透過性樹脂部２０の垂直方向Ｖの光に対して垂直な面に設定されている。第１光源１５として指向性の強いものを使用した場合に、第１光源１５からの多くの光は、光透過性樹脂部２０の垂直方向Ｖ及びこれに近い方向であるため、第１光源１５を点灯したときの視認性が更に向上する。
【００２５】
機能表示部２２に対応する光透過性樹脂部２０の裏面は、光透過領域Ｅ１に対応する内領域Ｅ１０と光不透過領域Ｅ２に対応する外領域Ｅ２０に区分され、内領域Ｅ１０の外光反射面３０は、外光が光透過領域Ｅ１の中央に向かって反射する向きに設定されている。光透過性樹脂部２０への第１光源１５からの光量と昼間の外光量とを比較した場合に、昼間の外光量の入射量が少なく、かつ、周囲が明るいため、昼間の方が視認性で劣るが、光透過性樹脂部２０の内領域Ｅ１０に入射し、反射した外光が光透過領域Ｅ１の中央に向かって反射するため、昼間の視認性が向上する。
【００２６】
機能表示部２２に対応する光透過性樹脂部２０の裏面は、光透過領域Ｅ１に対応する内領域Ｅ１０と光不透過領域Ｅ２の外側に対応する外領域Ｅ２０に区分され、外領域Ｅ２０の外光反射面３０は、外光が光透過領域Ｅ１に向かって反射する向きに設定されている。光透過性樹脂部２０への第１光源１５からの光量と昼間の外光量とを比較した場合に、昼間の外光量の入射量が少なく、かつ、周囲が明るいため、昼間の方が視認性で劣るが、光透過性樹脂部２０の外領域Ｅ２０に入射し、反射した外光が光透過領域Ｅ１に向かって反射するため、昼間の視認性が向上する。
【００２７】
外光反射面３０と内光透過面３１の各サイズは、光透過部２２Ａの最も狭い幅サイズの二分の一よりも小さい。光透過部２２Ａの最も狭い幅サイズに対応する部位に入射する外光は、外光反射面３０で反射して反射光となって光透過部２２Ａに戻り、光透過部２２Ａの最も狭い幅サイズに対応する部位に入射する内光は、内光透過面３１で透過して透過光となって光透過部２２Ａに入るため、光透過部２２Ａの最も狭い幅サイズの部位でも確実に外光と内光が得られる。外光反射面３０と内光透過面３１の各サイズは、光透過部２２Ａの絵文字等のサイズによって適宜変更する。外光反射面３０と内光透過面３１は、外光や内光の明るさを制限するため、シボ加工等を施しても良い。
【００２８】
尚、この実施形態の操作ボタン１は、エアコンのオンオフボタンであるが、これ以外のものであっても本発明を適用可能である。
【符号の説明】
【００２９】
１  操作ボタン
１２  押下部（操作部）
１５  第１光源
１６  第２光源
２０  光透過性樹脂部
２２  機能表示部
２３  インジケータ部
３０  外光反射面
３１  内光透過面
Ｅ１  光透過領域
Ｅ２  光不透過領域
Ｅ１０  内領域
Ｅ２０  外領域
【図１】
2015125850.tif 000003
【図２】
2015125850.tif 000004
【図３】
2015125850.tif 000005
【図４】
2015125850.tif 000006
【図５】
2015125850.tif 000007
【図６】
2015125850.tif 000008
【図７】
2015125850.tif 000009
【図８】
2015125850.tif 000010
【図９】
2015125850.tif 000011
【図１０】
2015125850.tif 000012